(57)【要約】【課題】   送信側および受信側の効率性を増加させることができる通信システムにおけるサブパケット用伝送方式の組合せを決定する方法を提供する。【解決手段】  通信システムにおけるサブパケット用伝送方式の組合せを決定する方法が提案される。関連変数で構成された全体伝送方式の組合せが備えられ、エンコーダーパケットのビット数および前記サブパケット伝送のために使用されるスロット数の各組合せに該当する、前記サブパケットの変調指数符号率用元素集合が定義される。また、現在使用可能な仮ウォルシュコード数とチャネル環境により一つの仮伝送方式の組合せを選択し、前記選択された仮伝送方式の組合せの変数および前記仮ウォルシュコード数を用いた規定されたアルゴリズムにより前記サブパケットの仮変調指数符号率が得られる。
2006509380.tif 000002
【特許請求の範囲】
【請求項１】
エンコーダーパケットのサブパケットを伝送するために伝送変数で構成された全体伝送方式の組合せを設定する段階と、
前記エンコーダーパケットのビット数および前記サブパケットの伝送のために使用されるスロット数の各組合せに該当する、前記サブパケットの変調指数符号率用元素集合を定義する段階と、
前記全体仮伝送方式の組合せの中、現在使用可能な仮ウォルシュコード数とチャネル環境により一つの仮伝送方式の組合せを選択する段階と、
前記選択された仮伝送方式の組合せに属する前記エンコーダーパケットのビット数、前記サブパケットの伝送のために使用されるスロット数、そして前記仮ウォルシュコード数を独立変数として従属変数である前記サブパケットの仮変調指数符号率を設定する段階と、
前記集合の中前記ビット数および前記スロット数の組合せに該当する集合の元素の中前記仮変調指数符号率と等しいか或いは大きい値を有する元素の中、最も小さい値を前記サブパケットの最終変調指数符号率として決定する段階と、
前記ビット数、前記スロット数および前記最終変調指数符号率を独立変数として従属変数である最終ウォルシュコード数を設定する段階と、そして
前記全体仮伝送方式の組合せの中前記ビット数、前記スロット数、そして前記最終ウォルシュコード数に属する組合せを前記サブパケットの最終伝送方式の組合せとして選択する段階とを備えることを特徴とする通信システムにおける伝送方式の組合せを決定する方法。
【請求項２】
前記各最終伝送方式の組合せでイデックスを与える段階と、
受信機で前記インデックスを有する最終伝送方式の組合せを格納する段階と、
前記最終伝送方式の組合せの中一つの組合せを選択する段階と、そして
前記選択された伝送方式の組合せのインデックスを物理チャネルを通して受信機に伝送する段階とをさらに備えることを特徴とする請求項１に記載の通信システムにおける伝送方式の組合せを決定する方法。
【請求項３】
前記物理チャネルはパケットデータ制御チャネル(ＰＤＣＣＨ)であることを特徴とする請求項２に記載の通信システムにおける伝送方式の組合せを決定する方法。
【請求項４】
前記各インデックスは６ビットの二進数で構成されることを特徴とする請求項２に記載の通信システムにおける伝送方式の組合せを決定する方法。
【請求項５】
前記サブパケットの変調指数符号率用集合の中少なくとも二つの集合は互いに同一の元素を有することを特徴とする請求項１に記載の通信システムにおける伝送方式の組合せを決定する方法。
【請求項６】
前記仮全体伝送方式の組合せは関連変数として、前記サブパケットのために使用可能なウォルシュコード数、前記サブパケットの伝送のために使用されるスロット数、前記サブパケットの変調指数符号率、前記サブパケットの変調指数、そして前記サブパケットの符号率を含んでいることを特徴とする請求項１に記載の通信システムにおける伝送方式の組合せを決定する方法。
【請求項７】
前記サブパケットがｋ番目のパケットで、前記最終変調指数符号率がMPR’k,d,g、前記選択された仮伝送方式の組合せに属する前記エンコーダーパケットのビット数が
【数１】
2006509380.tif 000090
、前記選択された仮伝送方式の組合せに属するスロット数が
【数２】
2006509380.tif 000091
、前記ウォルシュコードを構成するチップの数がｒ、前記各チップの伝送率がｙHz、そしてＸはｙ×１．２５×１０３/ｒ、前記最終ウォルシュコード数は、eｘuはｘと等しいか或いは大きい定数の中で最も小さい数を意味する時、前記最終ウォルシュコード数は、
【数３】
2006509380.tif 000092
により得られることを特徴とする請求項１に記載の通信システムにおける伝送方式の組合せを決定する方法。
【請求項８】
前記サブパケットがｋ番目のパケットで、前記最終変調指数符号率がMPR’k,d,g、前記選択された仮伝送方式の組合せに属する前記エンコーダーパケットのビット数が
【数４】
2006509380.tif 000093
、前記選択された仮伝送方式の組合せに属するスロット数が
【数５】
2006509380.tif 000094
、前記ウォルシュコードを構成するチップの数がｒ、前記各チップの伝送率がｙHz、そしてＸはｙ×１．２５×１０３/ｒ、前記最終ウォルシュコード数は、eｘuはｘと等しいか或いは大きい定数の中で最も小さい数、前記チップ数およびチップ伝送率をＸとする時、前記最終ウォルシュコード数は、
【数６】
2006509380.tif 000095
により決定されるウォルシュコード数と、
前記全体仮伝送方式の組合せの中で、
【数７】
2006509380.tif 000096
である場合に有することができる最も小さいウォルシュコード数の中で等しいか或いは大きい値で決定されることを特徴とする請求項１に記載の通信システムにおける伝送方式の組合せを決定する方法。
【請求項９】
前記サブパケットがｋ番目のパケットで、前記最終変調指数符号率がMPR’k,d,g、前記選択された仮伝送方式の組合せに属する前記エンコーダーパケットのビット数が
【数８】
2006509380.tif 000097
、前記選択された仮伝送方式の組合せに属するスロット数が
【数９】
2006509380.tif 000098
、前記ウォルシュコードを構成するチップの数がｒ、前記各チップの伝送率がｙHz、そしてＸはｙ×１．２５×１０３/ｒ、前記最終ウォルシュコード数は、eｘuはｘと等しいか或いは大きい定数の中で最も小さい数、
【数１０】
2006509380.tif 000099
はｘと等しいか或いは小さい定数の中で最も大きい数を意味し、min(a,b)はａとｂの中で等しいか或いは小さい値を意味し、Ｌmaxは前記サブパケットの制限された伝送シンボル数、そして
【数１１】
2006509380.tif 000100
は前記選択された仮伝送方式の組合せに属する前記エンコーダーパケットのビット数が
【数１２】
2006509380.tif 000101
、そして前記選択された仮伝送方式の組合せに属するスロット数が
【数１３】
2006509380.tif 000102
である場合の変調指数である時、前記最終ウォルシュコード数は、
【数１４】
2006509380.tif 000103
により決定されることを特徴とする請求項１に記載の通信システムにおける伝送方式の組合せを決定する方法。
【請求項１０】
エンコーダーパケットのサブパケットを伝送するために伝送変数で構成された全体伝送方式の組合せを仮に設定する段階と、
前記エンコーダーパケットのビット数および前記サブパケットの伝送のために使用されるスロット数の各組合せに該当する、前記サブパケットの変調指数符号率用元素集合を定義する段階と、
前記仮全体伝送方式の組合せが全て選択されることができる条件を有する制限変調指数符号率を実数として定義する段階と、
前記全体仮伝送方式の組合せの中、現在使用可能な仮ウォルシュコード数とチャネル環境により一つの仮伝送方式の組合せを選択する段階と、
前記選択された仮伝送方式の組合せに属する前記エンコーダーパケットのビット数、前記サブパケットの伝送のために使用されるスロット数、そして前記仮ウォルシュコード数を独立変数として従属変数である前記サブパケットの仮変調指数符号率を設定する段階と、
前記仮変調指数符号率が前記制限変調指数符号率より小さい時は、前記集合の中前記ビット数および前記スロット数の組合せに該当する集合の元素の中前記仮変調指数符号率と等しいか或いは大きい値を有する元素の中、最も小さい値を前記サブパケットの最終変調指数符号率として決定し、
前記仮変調指数符号率が前記制限変調指数符号率より大きいか或いは等しい時は、前記仮変調指数符号率を前記最終変調指数符号率として決定する段階と、
前記ビット数、前記スロット数および前記最終変調指数符号率を独立変数として従属変数である最終ウォルシュコード数を設定する段階と、そして
前記全体仮伝送方式の組合せの中、前記ビット数、前記スロット数、そして前記最終ウォルシュコード数に属する組合せを前記サブパケットの最終伝送方式の組合せとして選択する段階とを備えることを特徴とする通信システムにおける伝送方式の組合せを決定する方法。
【請求項１１】
前記各最終伝送方式の組合せでイデックスを与える段階と、
受信機で前記インデックスを有する最終伝送方式の組合せを格納する段階と、
前記最終伝送方式の組合せの中一つの組合せを選択する段階と、そして
前記選択された伝送方式の組合せのインデックスを物理チャネルを通して受信機に伝送する段階とをさらに備えることを特徴とする請求項１０に記載の通信システムにおける伝送方式の組合せを決定する方法。
【請求項１２】
前記物理チャネルはパケットデータ制御チャネル(ＰＤＣＣＨ)であることを特徴とする請求項１１に記載の通信システムにおける伝送方式の組合せを決定する方法。
【請求項１３】
前記各インデックスは６ビットの二進数で構成されることを特徴とする請求項１１に記載の通信システムにおける伝送方式の組合せを決定する方法。
【請求項１４】
前記サブパケットの変調指数符号率用集合の中少なくとも二つの集合は互いに同一の元素を有することを特徴とする請求項１０に記載の通信システムにおける伝送方式の組合せを決定する方法。
【請求項１５】
前記仮全体伝送方式の組合せは関連変数として、前記サブパケットのために使用可能なウォルシュコード数、前記サブパケットの伝送のために使用されるスロット数、前記サブパケットの変調指数符号率、前記サブパケットの変調指数、そして前記サブパケットの符号率を含んでいることを特徴とする請求項１０に記載の通信システムにおける伝送方式の組合せを決定する方法。
【請求項１６】
前記サブパケットがｋ番目のパケットで、前記最終変調指数符号率がMPR’k,d,g、前記選択された仮伝送方式の組合せに属する前記エンコーダーパケットのビット数が
【数１５】
2006509380.tif 000104
、前記選択された仮伝送方式の組合せに属するスロット数が
【数１６】
2006509380.tif 000105
、前記ウォルシュコードを構成するチップの数がｒ、前記各チップの伝送率がｙHz、そしてＸはｙ×１．２５×１０３/ｒ、前記最終ウォルシュコード数は、eｘuはｘと等しいか或いは大きい定数の中で最も小さい数を意味する時、前記最終ウォルシュコード数は、
【数１７】
2006509380.tif 000106
により得られることを特徴とする請求項１０に記載の通信システムにおける伝送方式の組合せを決定する方法。
【請求項１７】
前記サブパケットがｋ番目のパケットで、前記最終変調指数符号率がMPR’k,d,g、前記選択された仮伝送方式の組合せに属する前記エンコーダーパケットのビット数が
【数１８】
2006509380.tif 000107
、前記選択された仮伝送方式の組合せに属するスロット数が
【数１９】
2006509380.tif 000108
、前記ウォルシュコードを構成するチップの数がｒ、前記各チップの伝送率がｙHz、そしてＸはｙ×１．２５×１０３/ｒ、前記最終ウォルシュコード数は、eｘuはｘと等しいか或いは大きい定数の中で最も小さい数、前記チップ数およびチップ伝送率をＸとする時、前記最終ウォルシュコード数は、
【数２０】
2006509380.tif 000109
により決定されるウォルシュコード数と、
前記全体仮伝送方式の組合せの中で、
【数２１】
2006509380.tif 000110
である場合に有することができる最も小さいウォルシュコード数の中で等しいか或いは大きい値で決定されることを特徴とする請求項１０に記載の通信システムにおける伝送方式の組合せを決定する方法。
【請求項１８】
前記サブパケットがｋ番目のパケットで、前記最終変調指数符号率がMPR’k,d,g、前記選択された仮伝送方式の組合せに属する前記エンコーダーパケットのビット数が
【数２２】
2006509380.tif 000111
、前記選択された仮伝送方式の組合せに属するスロット数が
【数２３】
2006509380.tif 000112
、前記ウォルシュコードを構成するチップの数がｒ、前記各チップの伝送率がｙHz、そしてＸはｙ×１．２５×１０３/ｒ、前記最終ウォルシュコード数は、eｘuはｘと等しいか或いは大きい定数の中で最も小さい数、
【数２４】
2006509380.tif 000113
はｘと等しいか或いは小さい定数の中で最も大きい数を意味し、min(a,b)はａとｂの中で等しいか或いは小さい値を意味し、Ｌmaxは前記サブパケットの制限された伝送シンボル数、そして
【数２５】
2006509380.tif 000114
は前記選択された仮伝送方式の組合せに属する前記エンコーダーパケットのビット数が
【数２６】
2006509380.tif 000115
、そして前記選択された仮伝送方式の組合せに属するスロット数が
【数２７】
2006509380.tif 000116
である場合の変調指数である時、前記最終ウォルシュコード数は、
【数２８】
2006509380.tif 000117
により決定されることを特徴とする請求項１０に記載の通信システムにおける伝送方式の組合せを決定する方法。
【請求項１９】
エンコーダーパケットのサブパケットを伝送するために伝送変数で構成された全体伝送方式の組合せを仮に設定する段階と、
前記エンコーダーパケットのビット数および前記サブパケットの伝送のために使用されるスロット数の各組合せに該当する、前記サブパケットの変調指数符号率用元素集合を定義する段階と、
前記全体仮伝送方式の組合せの中、現在使用可能な仮ウォルシュコード数とチャネル環境により一つの仮伝送方式の組合せを選択する段階と、
前記選択された仮伝送方式の組合せに属する前記エンコーダーパケットのビット数、前記サブパケットの伝送のために使用されるスロット数、そして前記仮ウォルシュコード数を独立変数として従属変数である前記サブパケットの仮変調指数符号率を設定する段階と、
前記集合の中前記ビット数および前記スロット数の組合せに該当する集合の元素の中前記仮変調指数符号率と等しいか或いは大きい値を有する元素の中、最も小さい値を前記サブパケットの最終変調指数符号率として決定する段階と、
前記ビット数、前記スロット数および前記最終変調指数符号率を独立変数として従属変数である最終ウォルシュコード数を設定する段階と、
前記全体仮伝送方式の組合せの中前記ビット数、前記スロット数、そして前記最終ウォルシュコード数に属する組合せを前記サブパケットの最終伝送方式の組合せとして選択する段階と、
前記求められた各最終伝送方式の組合せでインデックスを与える段階と、
前記各最終伝送方式の組合せを前記該当するインデックスと共に内部のメモリに格納する段階と、
送信側から前記サブパケットが受信される時、物理チャネルを通して前記送信側により選択された最終伝送方式の組合せに該当するインデックスを受信する段階と、
前記物理チャネルの伝送時間の長さにより該当するスロット数を認識する段階と、そして
前記認識されたスロット数と前記受信されたインデックスにより前記既に格納された最終伝送方式の組合せの中、該当する一つの最終伝送方式の組合せを認識する段階とを備えることを特徴とする通信システムにおける伝送方式の組合せを決定する方法。
【請求項２０】
前記物理チャネルはパケットデータ制御チャネル(ＰＤＣＣＨ)であることを特徴とする請求項１９に記載の通信システムにおける伝送方式の組合せを決定する方法。
【請求項２１】
前記各インデックスは６ビットの二進数で構成されることを特徴とする請求項１９に記載の通信システムにおける伝送方式の組合せを決定する方法。
【請求項２２】
前記サブパケットの変調指数符号率用集合の中少なくとも二つの集合は互いに同一の元素を有することを特徴とする請求項１９に記載の通信システムにおける伝送方式の組合せを決定する方法。
【請求項２３】
前記仮全体伝送方式の組合せは関連変数として、前記サブパケットのために使用可能なウォルシュコード数、前記サブパケットの伝送のために使用されるスロット数、前記サブパケットの変調指数符号率、前記サブパケットの変調指数、そして前記サブパケットの符号率を含んでいることを特徴とする請求項１９に記載の通信システムにおける伝送方式の組合せを決定する方法。
【請求項２４】
前記サブパケットがｋ番目のパケットで、前記最終変調指数符号率がMPR’k,d,g、前記選択された仮伝送方式の組合せに属する前記エンコーダーパケットのビット数が
【数２９】
2006509380.tif 000118
、前記選択された仮伝送方式の組合せに属するスロット数が
【数３０】
2006509380.tif 000119
、前記ウォルシュコードを構成するチップの数がｒ、前記各チップの伝送率がｙHz、そしてＸはｙ×１．２５×１０３/ｒ、前記最終ウォルシュコード数は、eｘuはｘと等しいか或いは大きい定数の中で最も小さい数を意味する時、前記最終ウォルシュコード数は、
【数３１】
2006509380.tif 000120
により得られることを特徴とする請求項１９に記載の通信システムにおける伝送方式の組合せを決定する方法。
【請求項２５】
前記サブパケットがｋ番目のパケットで、前記最終変調指数符号率がMPR’k,d,g、前記選択された仮伝送方式の組合せに属する前記エンコーダーパケットのビット数が
【数３２】
2006509380.tif 000121
、前記選択された仮伝送方式の組合せに属するスロット数が
【数３３】
2006509380.tif 000122
、前記ウォルシュコードを構成するチップの数がｒ、前記各チップの伝送率がｙHz、そしてＸはｙ×１．２５×１０３/ｒ、前記最終ウォルシュコード数は、eｘuはｘと等しいか或いは大きい定数の中で最も小さい数、前記チップ数およびチップ伝送率をＸとする時、前記最終ウォルシュコード数は、
【数３４】
2006509380.tif 000123
により決定されるウォルシュコード数と、
前記全体仮伝送方式の組合せの中で、
【数３５】
2006509380.tif 000124
である場合に有することができる最も小さいウォルシュコード数の中で等しいか或いは大きい値で決定されることを特徴とする請求項１９に記載の通信システムにおける伝送方式の組合せを決定する方法。
【請求項２６】
前記サブパケットがｋ番目のパケットで、前記最終変調指数符号率がMPR’k,d,g、前記選択された仮伝送方式の組合せに属する前記エンコーダーパケットのビット数が
【数３６】
2006509380.tif 000125
、前記選択された仮伝送方式の組合せに属するスロット数が
【数３７】
2006509380.tif 000126
、前記ウォルシュコードを構成するチップの数がｒ、前記各チップの伝送率がｙHz、そしてＸはｙ×１．２５×１０３/ｒ、前記最終ウォルシュコード数は、eｘuはｘと等しいか或いは大きい定数の中で最も小さい数、
【数３８】
2006509380.tif 000127
はｘと等しいか或いは小さい定数の中で最も大きい数を意味し、min(a,b)はａとｂの中で等しいか或いは小さい値を意味し、Ｌmaxは前記サブパケットの制限された伝送シンボル数、そして
【数３９】
2006509380.tif 000128
は前記選択された仮伝送方式の組合せに属する前記エンコーダーパケットのビット数が
【数４０】
2006509380.tif 000129
、そして前記選択された仮伝送方式の組合せに属するスロット数が
【数４１】
2006509380.tif 000130
である場合の変調指数である時、前記最終ウォルシュコード数は、
【数４２】
2006509380.tif 000131
により決定されることを特徴とする請求項１９に記載の通信システムにおける伝送方式の組合せを決定する方法。
【請求項２７】
エンコーダーパケットのサブパケットを伝送するために伝送変数で構成された全体伝送方式の組合せを仮に設定する段階と、
前記エンコーダーパケットのビット数および前記サブパケットの伝送のために使用されるスロット数の各組合せに該当する、前記サブパケットの変調指数符号率用元素集合を定義する段階と、
前記仮全体伝送方式の組合せが全て選択されることができる条件を有する制限変調指数符号率を実数として定義する段階と、
前記全体仮伝送方式の組合せの中、現在使用可能な仮ウォルシュコード数とチャネル環境により一つの仮伝送方式の組合せを選択する段階と、
前記選択された仮伝送方式の組合せに属する前記エンコーダーパケットのビット数、前記サブパケットの伝送のために使用されるスロット数、そして前記仮ウォルシュコード数を独立変数として従属変数である前記サブパケットの仮変調指数符号率を設定する段階と、
前記仮変調指数符号率が前記制限変調指数符号率より小さい時は、前記集合の中前記ビット数および前記スロット数の組合せに該当する集合の元素の中前記仮変調指数符号率と等しいか或いは大きい値を有する元素の中、最も小さい値を前記サブパケットの最終変調指数符号率として決定し、
前記仮変調指数符号率が前記制限変調指数符号率より大きいか或いは等しい時は、前記仮変調指数符号率を前記最終変調指数符号率として決定する段階と、
前記ビット数、前記スロット数および前記最終変調指数符号率を独立変数として従属変数である最終ウォルシュコード数を設定する段階と、
前記全体仮伝送方式の組合せの中前記ビット数、前記スロット数、そして前記最終ウォルシュコード数に属する組合せを前記サブパケットの最終伝送方式の組合せとして選択する段階と、
前記求められた各最終伝送方式の組合せでインデックスを与える段階と、
前記各最終伝送方式の組合せを前記該当するインデックスと共に内部のメモリに格納する段階と、
送信側から前記サブパケットが受信される時、物理チャネルを通して前記送信側により選択された最終伝送方式の組合せに該当するインデックスを受信する段階と、
前記物理チャネルの伝送時間の長さにより該当するスロット数を認識する段階と、そして
前記認識されたスロット数と前記受信されたインデックスにより前記既に格納された最終伝送方式の組合せの中、該当する一つの最終伝送方式の組合せを認識する段階とを備えることを特徴とする通信システムにおける伝送方式の組合せを決定する方法。
【請求項２８】
前記物理チャネルはパケットデータ制御チャネル(ＰＤＣＣＨ)であることを特徴とする請求項２７に記載の通信システムにおける伝送方式の組合せを決定する方法。
【請求項２９】
前記各インデックスは６ビットの二進数で構成されることを特徴とする請求項２７に記載の通信システムにおける伝送方式の組合せを決定する方法。
【請求項３０】
前記サブパケットの変調指数符号率用集合の中少なくとも二つの集合は互いに同一の元素を有することを特徴とする請求項２７に記載の通信システムにおける伝送方式の組合せを決定する方法。
【請求項３１】
前記仮全体伝送方式の組合せは関連変数として、前記サブパケットのために使用可能なウォルシュコード数、前記サブパケットの伝送のために使用されるスロット数、前記サブパケットの変調指数符号率、前記サブパケットの変調指数、そして前記サブパケットの符号率を含んでいることを特徴とする請求項２７に記載の通信システムにおける伝送方式の組合せを決定する方法。
【請求項３２】
前記サブパケットがｋ番目のパケットで、前記最終変調指数符号率がMPR’k,d,g、前記選択された仮伝送方式の組合せに属する前記エンコーダーパケットのビット数が
【数４３】
2006509380.tif 000132
、前記選択された仮伝送方式の組合せに属するスロット数が
【数４４】
2006509380.tif 000133
、前記ウォルシュコードを構成するチップの数がｒ、前記各チップの伝送率がｙHz、そしてＸはｙ×１．２５×１０３/ｒ、前記最終ウォルシュコード数は、eｘuはｘと等しいか或いは大きい定数の中で最も小さい数を意味する時、前記最終ウォルシュコード数は、
【数４５】
2006509380.tif 000134
により得られることを特徴とする請求項２７に記載の通信システムにおける伝送方式の組合せを決定する方法。
【請求項３３】
前記サブパケットがｋ番目のパケットで、前記最終変調指数符号率がMPR’k,d,g、前記選択された仮伝送方式の組合せに属する前記エンコーダーパケットのビット数が
【数４６】
2006509380.tif 000135
、前記選択された仮伝送方式の組合せに属するスロット数が
【数４７】
2006509380.tif 000136
、前記ウォルシュコードを構成するチップの数がｒ、前記各チップの伝送率がｙHz、そしてＸはｙ×１．２５×１０３/ｒ、前記最終ウォルシュコード数は、eｘuはｘと等しいか或いは大きい定数の中で最も小さい数、前記チップ数およびチップ伝送率をＸとする時、前記最終ウォルシュコード数は、
【数４８】
2006509380.tif 000137
により決定されるウォルシュコード数と、
前記全体仮伝送方式の組合せの中で、
【数４９】
2006509380.tif 000138
である場合に有することができる最も小さいウォルシュコード数の中で等しいか或いは大きい値で決定されることを特徴とする請求項２７に記載の通信システムにおける伝送方式の組合せを決定する方法。
【請求項３４】
前記サブパケットがｋ番目のパケットで、前記最終変調指数符号率がMPR’k,d,g、前記選択された仮伝送方式の組合せに属する前記エンコーダーパケットのビット数が
【数５０】
2006509380.tif 000139
、前記選択された仮伝送方式の組合せに属するスロット数が
【数５１】
2006509380.tif 000140
、前記ウォルシュコードを構成するチップの数がｒ、前記各チップの伝送率がｙHz、そしてＸはｙ×１．２５×１０３/ｒ、前記最終ウォルシュコード数は、eｘuはｘと等しいか或いは大きい定数の中で最も小さい数、
【数５２】
2006509380.tif 000141
はｘと等しいか或いは小さい定数の中で最も大きい数を意味し、min(a,b)はａとｂの中で等しいか或いは小さい値を意味し、Ｌmaxは前記サブパケットの制限された伝送シンボル数、そして
【数５３】
2006509380.tif 000142
は前記選択された仮伝送方式の組合せに属する前記エンコーダーパケットのビット数が
【数５４】
2006509380.tif 000143
、そして前記選択された仮伝送方式の組合せに属するスロット数が
【数５５】
2006509380.tif 000144
である場合の変調指数である時、前記最終ウォルシュコード数は、
【数５６】
2006509380.tif 000145
により決定されることを特徴とする請求項２７に記載の通信システムにおける伝送方式の組合せを決定する方法。
【発明の詳細な説明】
【技術分野】
【０００１】
本発明は通信ステムにおけるサブパケットを伝送する方法に関し、特に前記サブパケット用伝送変数で構成される伝送方式の組合せを決定する方法に関する。
【背景技術】
【０００２】
現在、次世代ＣＤＭＡ移動通信パケット伝送と関連された変数は次のようなものがある。
【０００３】
第一に、サブパケットインデックス(subpacket index)：ｋ
第二に、エンコーダーパケットのビット数：ＮEP
第三に、ｋ番目のサブパケットを送るために使用可能なウォルシュコード(Walsh code)の個数： ＮWalsh, k
第四に、変調指数(Modulation order)： ｍk
第五に、サブパケット符号率(code rate)： ｃk
第六に、ｋ番目のサブパケットの伝送のために使用されるスロット数： Ｎslot, k
第七に、ｋ番目のサブパケットの変調指数符号率(Modulation order Product code Rate)： ＭＰＲk
一般に、エンコーダーパケットはパケット伝送時、誤り訂正符号器の入力ビットからなる伝送単位を意味し、この時の入力ビット数をＮEPとする。ここで、エンコーダーパケットは一つ、或いはより多いサブパケットを通して伝送される。
【０００４】
この時、第一のサブパケットは必ず伝送され、その後のサブパケットは第一のサブパケットが受信側への伝送に失敗する場合に受信側で発生するサブパケット伝送要求により伝送される。そして、受信側の要求により伝送されるサブパケットは順次にインデックスｋにより区分され、各々異なるｃk、Ｎslot, k、ＭＰＲkなどを有することができる。
【０００５】
ｍkは変調方式を示す変数であって、ＱＰＳＫ、８−ＰＳＫ、１６−ＱＡＭ、３２−ＱＡＭ、６４−ＱＡＭに対して各々２、３、４、５、６と示す。スロットは一定の時間の長さを有する伝送単位のことを言い、以下では１．２５msecの長さを有すると仮定する。
【０００６】
また、先に言及されたウォルシュコード(Walsh Code)は全て同一するｒ個のチップで構成されており、チップ伝送率がｙHzであると仮定する場合、ＭＰＲkは式(１)のように定義することができる。
【０００７】
【数５７】
2006509380.tif 000003
【０００８】
この時、前記式(１)は式(２)としても表現可能である。
【０００９】
【数５８】
2006509380.tif 000004
【００１０】
もし、ｙ=1,228,800Ｈｚであり、ｒ＝32(チップ)である場合、式(１)は式(３)のように表現される(以下では説明の便宜上、ｙ=1,228,800、ｒ＝32(チップ)と仮定する。ただ、後述する本発明で実現しようとする内容はｙとｒの値に拘わらず、適用可能である)。
【００１１】
【数５９】
2006509380.tif 000005
【００１２】
この時、送信端がサブパケットを伝送する時に使用可能な伝送方式は{ＮWalsh,k、Ｎslot,k、ｍk、ＮEP}値の組合せ数だけ存在し、前記送信端はその時の状況により可能な組合せの中で適切な一つを選択するようになる。もっとも、これら可能な組合せの中には実際に使用するに適合ではない組合せも含んでいるため、これらは特定の規則に基づき除外する。この時、現在使用されている特定の規則の例として、式(４)と式(５)がある。
【００１３】
0<ck<1                        （４）
【００１４】
【数６０】
2006509380.tif 000006
【００１５】
以下で示した図2、図3、図４は送信端がパケットを伝送する時に使用可能な伝送方式の中、前記式(４)と式(５)を満足する伝送方式の種類などを示す例である。以下の図および例に示すＭＰＲk値は近似値であり、実際の計算ではより正確な値が使用される。
【００１６】
図２はＮEP＝3864、Ｎslot,k＝4である場合、送信端がパケットを伝送する時に使用可能な伝送方式の例を示す表である。
【００１７】
図３はＮEP＝3864、Ｎslot,k＝２である場合、送信端がパケットを伝送する時に使用可能な伝送方式の例を示す表である。
【００１８】
図４はＮEP＝3864、Ｎslot,k＝１である場合、送信端がパケットを伝送する時に使用可能な伝送方式の例を示す表である。
【００１９】
この時、図２ないし図４の各行は伝送関連の変数の特定の組合せを意味し、以下でこのような組合せを‘伝送方式の組合せ’称する。
【００２０】
また、この伝送方式の組合せの全てを構成元素として有する集合を‘伝送＿方式＿組合せ＿ＡＬＬ’と称する。即ち、図２、図３、図４に示されている伝送方式の組合せは‘伝送＿方式＿組合せ＿ＡＬＬ’の一部の元素を示している。
【発明の開示】
【発明が解決しようとする課題】
【００２１】
しかしながら、このような従来技術においては、送信端がパケットを伝送する時にＮWalsh,k、Ｎslot,k、ｍk、ＮEPが有することができる値の種類が多くなるほど、使用可能な伝送方式の組合せは無数に多くなる。このような多くの伝送方式の組合せが可能な場合、即ち‘伝送_方式_組合せ_ＡＬＬ’の元素数が多い場合には次のような問題点がある。
【００２２】
第一に、送信機および受信機、例えば基地局(Base station)および端末機は、全ての可能な伝送方式の組合せ、即ち‘伝送_方式_組合せ_ＡＬＬ’の全ての元素に対する変数をメモリに格納していなければならないため、不要なメモリが発生する。
【００２３】
第二に、ほぼ使用されていない伝送方式の組合せの中には非常に小さいｃkを有する場合もあるが、これを支援するために受信機は容量が大きい受信メモリを有していなければならないため、これもまた不要なメモリを発生させる。
【００２４】
本発明は上記の問題点を解決するためのもので、その目的は、送信側および受信側の効率性を増加させることができる通信システムにおけるサブパケット用伝送方式の組合せを決定する方法を提供することにある。
【００２５】
本発明の他の目的は、全ての可能なサブパケット用伝送方式の組合せの中の一部だけを使用することができる通信システムにおけるサブパケット用伝送方式の組合せを決定する方法を提供することにある。
【課題を解決するための手段】
【００２６】
上記目的を達成するために、本発明に係る方法は、サブパケット用全体仮伝送方式の組合せを設定する段階と、前記エンコーダーパケットのビット数および前記サブパケットの伝送のために使用されるスロット数の各組合せに該当する、前記サブパケットの変調指数符号率用元素集合を定義する段階と、前記全体仮伝送方式の組合せの中、現在使用可能な仮ウォルシュコード数とチャネル環境により一つの仮伝送方式の組合せを選択する段階と、前記選択された仮伝送方式の組合せに属する前記エンコーダーパケットのビット数、前記サブパケットの伝送のために使用されるスロット数、そして前記仮ウォルシュコード数を独立変数として従属変数である前記サブパケットの仮変調指数符号率を設定する段階と、前記集合の中前記ビット数および前記スロット数の組合せに該当する集合の元素の中前記仮変調指数符号率と等しいか或いは大きい値を有する元素の中、最も小さい値を前記サブパケットの最終変調指数符号率として決定する段階と、前記ビット数、前記スロット数および前記最終変調指数符号率を独立変数として従属変数である最終ウォルシュコード数を設定する段階と、そして前記全体仮伝送方式の組合せの中前記ビット数、前記スロット数、そして前記最終ウォルシュコード数に属する組合せを前記サブパケットの最終伝送方式の組合せとして選択する段階とを備える。
【００２７】
本発明に係る他の方法は、エンコーダーパケットのサブパケットを伝送するために伝送変数で構成された全体伝送方式の組合せを仮に設定する段階と、前記エンコーダーパケットのビット数および前記サブパケットの伝送のために使用されるスロット数の各組合せに該当する、前記サブパケットの変調指数符号率用元素集合を定義する段階と、前記仮全体伝送方式の組合せが全て選択されることができる条件を有する制限変調指数符号率を実数として定義する段階と、前記全体仮伝送方式の組合せの中、現在使用可能な仮ウォルシュコード数とチャネル環境により一つの仮伝送方式の組合せを選択する段階と、前記選択された仮伝送方式の組合せに属する前記エンコーダーパケットのビット数、前記サブパケットの伝送のために使用されるスロット数、そして前記仮ウォルシュコード数を独立変数として従属変数である前記サブパケットの仮変調指数符号率を設定する段階と、前記仮変調指数符号率が前記制限変調指数符号率より小さい時は、前記集合の中前記ビット数および前記スロット数の組合せに該当する集合の元素の中前記仮変調指数符号率と等しいか或いは大きい値を有する元素の中、最も小さい値を前記サブパケットの最終変調指数符号率として決定し、そして前記仮変調指数符号率が前記制限変調指数符号率より大きいか或いは等しい時は、前記仮変調指数符号率を前記最終変調指数符号率として決定する段階と、前記ビット数、前記スロット数および前記最終変調指数符号率を独立変数として従属変数である最終ウォルシュコード数を設定する段階と、そして
前記全体仮伝送方式の組合せの中前記ビット数、前記スロット数、そして前記最終ウォルシュコード数に属する組合せを前記サブパケットの最終伝送方式の組合せとして選択する段階とを含んでいる。
【００２８】
好ましくは、前記サブパケットの変調指数符号率用元素集合Ｓd,gの値間の間隔を低減しようとする伝送方式の量によって調節できる。
【００２９】
好ましくは、前記各最終伝送方式の組合せでイデックスを与える段階と、受信機で前記インデックスを有する最終伝送方式の組合せを格納する段階と、前記最終伝送方式の組合せの中一つの組合せを選択する段階と、そして前記選択された伝送方式の組合せのインデックスを物理チャネルを通して受信機に伝送する段階とをさらに備える。
【００３０】
好ましくは、前記サブパケットがｋ番目のパケットで、前記最終変調指数符号率がMPR’k,d,g、前記選択された仮伝送方式の組合せに属する前記エンコーダーパケットのビット数が
【００３１】
【数６１】
2006509380.tif 000007
【００３２】
、前記選択された仮伝送方式の組合せに属するスロット数が
【００３３】
【数６２】
2006509380.tif 000008
【００３４】
、前記ウォルシュコードを構成するチップの数がｒ、前記各チップの伝送率がｙHz、そしてＸはｙ×１．２５×１０３/ｒ、前記最終ウォルシュコード数は、eｘuはｘと等しいか或いは大きい定数の中で最も小さい数を意味する時、前記最終ウォルシュコード数は、
【００３５】
【数６３】
2006509380.tif 000009
【００３６】
により得られる。
【００３７】
好ましくは、前記サブパケットがｋ番目のパケットで、前記最終変調指数符号率がMPR’k,d,g、前記選択された仮伝送方式の組合せに属する前記エンコーダーパケットのビット数が
【００３８】
【数６４】
2006509380.tif 000010
【００３９】
、前記選択された仮伝送方式の組合せに属するスロット数が
【００４０】
【数６５】
2006509380.tif 000011
【００４１】
、前記ウォルシュコードを構成するチップの数がｒ、前記各チップの伝送率がｙHz、そしてＸはｙ×１．２５×１０３/ｒ、前記最終ウォルシュコード数は、eｘuはｘと等しいか或いは大きい定数の中で最も小さい数、前記チップ数およびチップ伝送率をＸとする時、前記最終ウォルシュコード数は、
【００４２】
【数６６】
2006509380.tif 000012
【００４３】
により決定されるウォルシュコード数と、
前記全体仮伝送方式の組合せの中で、
【００４４】
【数６７】
2006509380.tif 000013
【００４５】
である場合に有することができる最も小さいウォルシュコード数の中で等しいか或いは大きい値で決定される。
【００４６】
好ましくは、前記サブパケットがｋ番目のパケットで、前記最終変調指数符号率がMPR’k,d,g、前記選択された仮伝送方式の組合せに属する前記エンコーダーパケットのビット数が
【００４７】
【数６８】
2006509380.tif 000014
【００４８】
、前記選択された仮伝送方式の組合せに属するスロット数が
【００４９】
【数６９】
2006509380.tif 000015
【００５０】
、前記ウォルシュコードを構成するチップの数がｒ、前記各チップの伝送率がｙHz、そしてＸはｙ×１．２５×１０３/ｒ、前記最終ウォルシュコード数は、eｘuはｘと等しいか或いは大きい定数の中で最も小さい数、
【００５１】
【数７０】
2006509380.tif 000016
はｘと等しいか或いは小さい定数の中で最も大きい数を意味し、min(a,b)はａとｂの中で、等しいか或いは小さい値を意味し、Ｌmaxは前記サブパケットの制限された伝送シンボル数、そして
【００５２】
【数７１】
2006509380.tif 000017
【００５３】
は前記選択された仮伝送方式の組合せに属する前記エンコーダーパケットのビット数が
【００５４】
【数７２】
2006509380.tif 000018
【００５５】
、そして前記選択された仮伝送方式の組合せに属するスロット数が
【００５６】
【数７３】
2006509380.tif 000019
【００５７】
である場合の変調指数である時、前記最終ウォルシュコード数は、
【００５８】
【数７４】
2006509380.tif 000020
【００５９】
により決定される。
【発明を実施するための最良の形態】
【００６０】
以下、本発明の好適な実施の形態について、添付の図面に基づいて詳細に説明する。
【００６１】
先ず、送信端および受信端の効率性を増加させるために、全ての可能な伝送方式の組合せの中の一部だけを送受信端が効率的に使用することができるようにするために次の式(６)、(７)および式(８)を既に定義する。
【００６２】
【数７５】
2006509380.tif 000021
【００６３】
即ち、ＮEPが有することができる値は集合
【００６４】
【数７６】
2006509380.tif 000022
【００６５】
に属するＤ個の自然数の中の何れか一つの値である。
【００６６】
そして、
【００６７】
【数７７】
2006509380.tif 000023
【００６８】
は
【００６９】
【数７８】
2006509380.tif 000024
【００７０】
値と等しいか或いは小さい自然数である。
【００７１】
また、
【００７２】
【数７９】
2006509380.tif 000025
【００７３】
が有することができる値は集合
【００７４】
【数８０】
2006509380.tif 000026
【００７５】
に属するＧ個の自然数の中の何れか一つの値である。
【００７６】
現在使用可能なウォルシュコードの個数がNWalsh,kで、
【００７７】
【数８１】
2006509380.tif 000027
【００７８】
である場合の伝送方式の組合せに該当するMPRkの値をMPRk,d,gとする場合、MPRk,d,gは前記式(３)により式(９)のように表現される。
【００７９】
【数８２】
2006509380.tif 000028
【００８０】
この時、任意のエンコーダーパケットのｋ番目のサブパケットの伝送のために使用する、ウォルシュコードの個数を意味する新たな変数N’Walsh,kを式(１０)または式(１１)のように定義できる。
【００８１】
【数８３】
2006509380.tif 000029
【００８２】
この時、‘eｘu’はｘと等しいか或いは大きい定数の中で最も小さい数を意味し、max(a,b)はａ、ｂの中で等しいか或いは大きい値を出力させる関数である。
【００８３】
また、前記式(１１)の
【００８４】
【数８４】
2006509380.tif 000030
【００８５】
は‘伝送_方式_組合’に属する伝送方式組合の中で
【００８６】
【数８５】
2006509380.tif 000031
【００８７】
である場合に有することができる最も小さいNWalsh,k値を意味する。
【００８８】
また、前記式(１０)でMPR’k,d,gの値は下記の第１定義または第２定義により決定される。前記第２定義は実質的に前記第１定義を含んでいる。
【００８９】
−第１定義−
MPR’k,d,g値は、式(１２)に示すような集合Sd,gの元素の中でMPRk,d,gと等しいか或いは大きい値を有する元素の中で最も小さい元素の値である。
【００９０】
−第２定義−
１. MPRk,d,g <
【００９１】
【数８６】
2006509380.tif 000032
【００９２】
である場合、MPR’k,d,g値は集合Sd,gの元素の中でMPRk,d,gと等しいか或いは大きい値を有する元素の中で最も小さい元素の値である。
【００９３】
２. MPR’k,d,g3
【００９４】
【数８７】
2006509380.tif 000033
【００９５】
である場合、MPR’k,d,g値はMPRk,d,gである(MPR’k,d,g = MPRk,d,g)。
【００９６】
この時、第２定義において、
【００９７】
【数８８】
2006509380.tif 000034
【００９８】
は既に定義された実数として、‘伝送＿方式＿組合せ＿ＡＬＬ’に属する特定伝送方式の組合せが本発明により全て選択可能なようにする役割を果たす。
【００９９】
一方、前記定義において集合Sd,gは式(１２)のように定義される。
【０１００】
【数８９】
2006509380.tif 000035
【０１０１】
ここで、Sd,gの元素の個数はHd,g個で、これら元素間には式(１３)のような関係が成立する実数である。
【０１０２】
【数９０】
2006509380.tif 000036
【０１０３】
即ち、Sd,gの元素の中の最小値は
【０１０４】
【数９０Ａ】
2006509380.tif 000037
【０１０５】
で、最大値は
【０１０６】
【数９０Ｂ】
2006509380.tif 000038
【０１０７】
になる。
【０１０８】
Sd,gは
【０１０９】
【数９１】
2006509380.tif 000039
【０１１０】
と
【０１１１】
【数９２】
2006509380.tif 000040
【０１１２】
の各組合せに対して各々定義され、表現の便宜上、
【０１１３】
【数９３】
2006509380.tif 000041
【０１１４】
と
【０１１５】
【数９４】
2006509380.tif 000042
【０１１６】
の各組合せの中、全て或いは一部に該当するSd,gが同一することができる。
【０１１７】
以上の式に基づき、送信端はパケット伝送のために、‘伝送_方式_組合せ_ＡＬＬ’に属する
【０１１８】
【数９５】
2006509380.tif 000043
【０１１９】
である伝送方式の組合せの中で、N’Walsh,k個のウォルシュコードを使用する伝送方式の組合せを選択するようになる。
【０１２０】
この時重要な点は本発明により提案された式を用いて選択できる‘伝送方式の組合せ’からなる集合は、‘伝送＿方式＿組合せ＿ＡＬＬ’の部分集合になるということである。即ち、送信端および受信端が既に使用可能であった‘伝送方式の組合せ’の中で一部だけを使用できるようになる。以下でこの部分集合を‘伝送＿方式＿組合せ＿ＰＡＲＴ’と称する。
【０１２１】
図１は前記で説明したことに基づき、任意のエンコーダーパケットのｋ番目のサブパケットの伝送のための伝送方式の組合せを決定する過程の一つの例を示している。
【０１２２】
この時、送信端および受信端は事前に
【０１２３】
【数９６】
2006509380.tif 000044
【０１２４】
と
【０１２５】
【数９７】
2006509380.tif 000045
【０１２６】
の各組合せに対して既に定義されたSd,gを知っていると前提する。
【０１２７】
一方、一応伝送方式の組合せが決定されれば、送信端は選択された伝送方式の組合せによりサブパケットを伝送するようになり、この選択された伝送方式の組合せがどのようなものであるかを受信端側に知らせなければならない。即ち、選択された伝送方式の組合せに該当する伝送関連の変数を知らせなければならない。
【０１２８】
一般に、これらの伝送関連の変数を、制御情報を専門的に伝送する物理チャネル(Physical channel)を通して受信端に知らせる。このチャネルを以下でパケットデータ制御チャネル(ＰＤＣＣＨ)とする。
【０１２９】
本発明では、このような伝送関連の変数を送信端がＰＤＣＣＨを通して直接的に受信端に知らせることではなく、各伝送方式の組合せにインデックスを与えてそのインデックスだけ伝送する。本発明により選択されることができる伝送方式の組合せの集合である‘伝送＿方式＿組合せ＿ＰＡＲＴ’の元素数が既存の‘伝送＿方式＿組合せ＿ＡＬＬ’の元素数より少ないため、このようなことが可能であり、かつ効率性を有する。以下ではこのようなインデックスを‘伝送方式の組合せインデックス’と称する。
【０１３０】
一方、前記の提案された方式により求められた‘伝送_方式_組合せ_ＰＡＲＴ’の中で、受信機側でハードウェアの複雑度を低減するために、サブパケットの伝送シンボル数か一定数(以下、Ｌmaxとする)以上になる伝送方式の組合せを除外することができる。このような場合、最終ウォルシュコード数N¢Walsh,kを求める式を次の式(１４)のように整理する。
【０１３１】
【数９８】
2006509380.tif 000046
【０１３２】
この時、
【０１３３】
【数９９】
2006509380.tif 000047
【０１３４】
はｘと等しいか或いは小さい定数の中で最も大きい数を意味し、min(a,b)はａ、ｂの中で等しいか或いは小さい値を出力させる関数である。また、式（１４）のｍｋ，ｄ，ｇは‘伝送＿方式＿組合せ＿ＡＬＬ’に属する伝送方式の組合せの中で、
【０１３５】
【数１００】
2006509380.tif 000048
【０１３６】
である場合に該当するｍk値を意味する。
【実施例１】
【０１３７】
実施例１は次の式(１５)ないし(１８)を仮定に説明される。
【０１３８】
NEP I {408,792,1560,2328,3096,3864}                      （１５）
【０１３９】
【数１０１】
2006509380.tif 000049
【０１４０】
【数１０２】
2006509380.tif 000050
【０１４１】
S={0.1, 0.35, 0.6, 0.82, 1.02, 1.18, 1.3, 1.41, 1.5, 1.55, 1.7, 1.8, 1.9, 2, 2.1,
2.35, 2.5, 2.65, 2.8, 2.9, 3.0, 3.1, 3.2}                     （１８）
前記式(１５)において、
D=6, 
【０１４２】
【数１０３】
2006509380.tif 000051
【０１４３】
が仮定される。
【０１４４】
前記式(１７)において、G=3, 
【０１４５】
【数１０４】
2006509380.tif 000052
【０１４６】
が仮定される。
【０１４７】
また、Sd,gは全て同一し、全て式(１８)のＳと等しいと仮定する。
【０１４８】
前記の仮定により、前記式（４）と前記式（５）を満足する既存の‘伝送＿方式＿組合せ＿ＡＬＬ’が決定される。
【０１４９】
図５は、‘伝送_方式_組合せ_ＡＬＬ’の元素の中でNEP=3864である伝送方式の組合せを示す表である。
【０１５０】
この時、本発明により、図１の過程を経て伝送方式の組合せを求めることを例にして説明すれば、次の通りである。
【０１５１】
現在、使用可能なウォルシュコードの個数がNWalsh,k＝１７個で、チャネル環境などを鑑みて‘伝送_方式_組合せ_ＡＬＬ’の中で選択された伝送方式の組合せが
【０１５２】
【数１０５】
2006509380.tif 000053
【０１５３】
である(Ｓ１１)。
【０１５４】
この時、MPRk,6,3を前記式(９)により求めればMPRk,6,3 ＝1.1838となる(Ｓ１２)。
【０１５５】
MPRk,6,3 、Ｓと、前記第１定義によりMPR’k,6,3を求めればMPRk,6,3 ＝1.1838と等しいか或いは大きい値を有する元素の中で最も小さい元素の値であるMPR’k,6,3 ＝1.3となる(Ｓ１３)。
【０１５６】
また、このようなMPR’k,6,3を前記式(１０)によりN’Walsh,kを計算すれば、NWalsh,k＝１６となる(Ｓ１４)。
【０１５７】
したがって、次の図５で
【０１５８】
【数１０６】
2006509380.tif 000054
【０１５９】
である‘伝送方式の組合せ’の中でウォルシュコードの個数が１６である‘伝送方式の組合せ’が最終的に選択され、これは図５の陰影部分に示す通りである(Ｓ１５)。
【実施例２】
【０１６０】
前記式(１５)ないし(１８)および式(１９)を仮定に本発明の実施例２を説明する。
【０１６１】
【数１０７】
2006509380.tif 000055
【０１６２】
この時、前記実施例２により伝送方式の組合せを求めることを例にして説明すれば次の通りである。
【０１６３】
現在、使用可能なウォルシュコードの個数がNWalsh,k＝２６個であり、チャネル環境などを鑑みて‘伝送_方式_組合せ_ＡＬＬ’の中で選択された伝送方式の組合せが
【０１６４】
【数１０８】
2006509380.tif 000056
【０１６５】
である(Ｓ１１)。
【０１６６】
この時、MPRk,6,2を前記式(９)により求めればMPRk,6,2＝1.5481となる(Ｓ１２)。
【０１６７】
MPRk,6,2、Ｓと、前記第２定義によりMPR’k,6,2を求めればMPR’k,6,2 ＝MPRk,6,2 ＝1.5481となる(Ｓ１３)。
【０１６８】
また、このようなMPR’k,6,2を前記式(１０)により計算すれば、N’Walsh,k＝２６となる(Ｓ１４)。
【０１６９】
したがって、次の図６で
【０１７０】
【数１０９】
2006509380.tif 000057
【０１７１】
である‘伝送方式の組合せ’の中でウォルシュコードの個数が２６である‘伝送方式の組合せ’が最終的に選択される(Ｓ１５)。本実施例２によると、mkが３以上である場合、既存の変調方式の組合せと前記実施例２による変調方式の組合せとは一致する。
【実施例３】
【０１７２】
前記式(１５)ないし(１８)および式(１９)を仮定に本発明の実施例３を説明する。
【０１７３】
【数１１０】
2006509380.tif 000058
【０１７４】
この時、前記実施例３により伝送方式の組合せを求めることを例にして説明すれば次の通りである。
【０１７５】
現在、使用可能なウォルシュコードの個数がNWalsh,k＝１４個であり、チャネル環境などを鑑みて‘伝送_方式_組合せ_ＡＬＬ’の中で選択された伝送方式の組合せが
【０１７６】
【数１１１】
2006509380.tif 000059
【０１７７】
である(Ｓ１１)。
【０１７８】
この時、MPRk,6,2を前記式(９)により求めればMPRk,6,2 ＝2.8750となる(Ｓ１２)。
【０１７９】
MPRk,6,2、Ｓと、前記第２定義によりMPR’k,6,2を求めれば、MPR’k,6,2 ＝MPRk,6,2 ＝2.8750となる(Ｓ１３)。
【０１８０】
また、このようなMPR’k,6,2を前記式(１０)によりN’Walsh,kを計算すれば、１４となる(Ｓ１４)。
【０１８１】
したがって、次の図６で
【０１８２】
【数１１２】
2006509380.tif 000060
【０１８３】
である‘伝送方式の組合せ’の中でウォルシュコードの個数が１４である‘伝送方式の組合せ’が最終的に選択される(Ｓ１５)。本実施例３によると、mkが４以上である場合、既存の変調方式の組合せと前記実施例３による変調方式の組合せとは一致する。
【実施例４】
【０１８４】
本発明の実施例４もまた前記式(１５)ないし(１７)と、次の式(２１)の仮定下で説明される。
【０１８５】
前記式(１５)である、
NEP I {408,792,1560,2328,3096,3864}
前記式(１６)である、
【０１８６】
【数１１３】
2006509380.tif 000061
【０１８７】
前記式(１７)である、
【０１８８】
【数１１４】
2006509380.tif 000062
【０１８９】
S1,1={0.1, 0.35, 0.6, 0.82, 1.02, 1.18, 1.3, 1.41, 1.5, 1.55, 1.77, 1.9, 2.0,      （２１）
2.21, 2.35, 2.5, 2.65, 2.8, 2.9, 3.0, 3.1, 3.2}が仮定される。
【０１９０】
前記式(１５)において、
D=6, 
【０１９１】
【数１１５】
2006509380.tif 000063
【０１９２】
が仮定される。
【０１９３】
前記式(１７)においては、G=3, 
【０１９４】
【数１１６】
2006509380.tif 000064
【０１９５】
が仮定される。
【０１９６】
また、S1,1を除外したSd,gは全て式(２１)に示したS1,1と等しいと仮定する。
【０１９７】
前記の仮定により、前記式(４)と前記式(５)を満足する既存の‘伝送＿方式＿組合せ＿ＡＬＬ’が決定され、この時、本発明の実施例４により図１の過程を経て伝送方式の組合せを求めることを例にして説明すれば次の通りである。
【０１９８】
現在、使用可能なウォルシュコードの個数がNWalsh,k＝２３個であり、チャネル環境などを鑑みて‘伝送_方式_組合せ_ＡＬＬ’の中で選択された伝送方式の組合せが
【０１９９】
【数１１７】
2006509380.tif 000065
【０２００】
である(Ｓ１１)。
【０２０１】
この時、MPRk,6,3を前記式(９)により求めればMPRk,6,3 ＝0.8750となる(Ｓ１２)。
【０２０２】
MPRk,6,3、Ｓと、前記第１定義によりMPR’k,6,3を求めればMPRk,6,3 ＝0.8750と等しいか或いは大きい値を有する元素の中で最も小さい元素の値であるMPR’k,6,3 ＝1.02となる(Ｓ１３)。
【０２０３】
また、このようなMPR’k,6,3を前記式(１０)によりN’Walsh,kを計算すれば、２０となる(Ｓ１４)。
【０２０４】
したがって、次の
【０２０５】
【数１１８】
2006509380.tif 000066
【０２０６】
である‘伝送方式の組合せ’の中でウォルシュコードの個数が２０である‘伝送方式の組合せ’が最終的に選択され、これは図５の陰影部分に示す通りである(Ｓ１５)。
【実施例５】
【０２０７】
図７は、実施例５の結果を示すテーブルとして、前記実施例４により選択することができる伝送方式の組合せの部分集合である‘伝送＿方式＿組合せ＿ＰＡＲＴ’を求めてから、‘伝送＿方式＿組合せ＿ＰＡＲＴ’の各伝送方式の組合せに‘伝送方式の組合せインデックス’を与えることを示している。
【０２０８】
この時、‘伝送方式の組合せインデックス’は二進数で示されており、これをＰＤＣＣＨを通して伝送する場合、６ビットが必要である。
【０２０９】
MPRk, mk, ck 値は、NEP, Nslot,k NWalsh,k値により求められるため、図７では‘伝送_方式_組合せ_ＰＡＲＴ’の元素をNEP, Nslot,k NWalsh,k値に対して整理した。
【０２１０】
図７を見ると、各‘伝送方式の組合せインデックス’に三つの伝送方式の組合せが割当てている。受信機がある‘伝送方式の組合せインデックス’をＰＤＣＣＨを通して受信してから、そのインデックスに該当する三つの伝送方式の組合せの中、どのようなものが正しいものであるかを明らかにしなければならず、これはＰＤＣＣＨの伝送時間の長さを通して明らかにすることができる。
【０２１１】
例えば、cdma2000 Revision Cに含まれているＰＤＣＣＨのように、Nslot,k値が１、２、４である場合に対して、ＰＤＣＣＨの伝送時間の長さが各々１slot、２slot、４slotの長さを有する場合、受信機は受信されたＰＤＣＣＨの伝送時間の長さによりNslot,kがわかるようになる。その後、ＰＤＣＣＨを通して伝送された‘伝送方式の組合せインデックス’を解析してから、図７を通して該当する伝送方式の組合せがわかるようになる。
【０２１２】
図７でreservedと表現された部分は、追って特定伝送方式の組合せを必要に応じて追加することができるということを意味する。この時、実施例５では前記第１定義を使用した。
【実施例６】
【０２１３】
本発明の実施例６を前記式(１５)ないし(１７)、式(２２)ないし(２７)を仮定に説明する。
【０２１４】
即ち、式(１５)は、
NEPI{408,792,1560,2328,3096,3864}であり、
前記式(１６)は、
【０２１５】
【数１１９】
2006509380.tif 000067
【０２１６】
であり、
前記式(１７)は、
Nslot,kI{1, 2, 4}である。
【０２１７】
前記式(２２)ないし(２７)は次の通りである。
【０２１８】
【数１２０】
2006509380.tif 000068
【０２１９】
前記式(１５)において、
D=6, 
【０２２０】
【数１２１】
2006509380.tif 000069
【０２２１】
と仮定する。
【０２２２】
前記式(１７)において、
G=3, 
【０２２３】
【数１２２】
2006509380.tif 000070
【０２２４】
と仮定する。
【０２２５】
また、前記最終ウォルシュコードN’Walsh,kを計算するために、前記第１定義と前記式(１０)が使用される。
【０２２６】
前記仮定により、前記式(４)と前記式(５)を満足する既存の‘伝送_方式_組合せ_ＡＬＬ’が決定される。
【０２２７】
図８は本発明の実施例６において、本発明により選択することができる伝送方式の組合せの部分集合である‘伝送＿方式＿組合せ＿ＰＡＲＴ’を求めてから、その‘伝送＿方式＿組合せ＿ＰＡＲＴ’の各伝送方式の組合せに‘伝送方式の組合せインデックス’を与えた例を示している。
【実施例７】
【０２２８】
本発明の実施例７を前記式(１５)ないし(１７)、式(２８)を仮定に説明する。
【０２２９】
即ち、前記式(１５)は、
NEPI{408,792,1560,2328,3096,3864}であり、
前記式(１６)は、
【０２３０】
【数１２３】
2006509380.tif 000071
【０２３１】
であり、
前記式(１７)は、
Nslot,kI{1, 2, 4}である。
【０２３２】
前記式(２８)は下記のように示すことができる。
【０２３３】
S1.1={0.41, 0.61, 0.82, 1.02, 1.18, 1.3, 1.41, 1.5, 1.55, 1.77, 1.9, 2.0,
2.21, 2.35, 2.5, 2.65, 2.8, 2.9, 3.0, 3.1, 3.2}                   （２８）
前記式(１５)において、
D=6, 
【０２３４】
【数１２４】
2006509380.tif 000072
【０２３５】
と仮定する。
【０２３６】
前記式(１７)において、
G=3, 
【０２３７】
【数１２５】
2006509380.tif 000073
【０２３８】
と仮定する。
【０２３９】
また、S1,1を除外したSd,gは全て前記S1,1と等しいと仮定する。また、前記最終ウォルシュコード数N’Walsh,kを計算するために前記第１定義と前記式(１４)が使用される。この時、前記式(１４)のＬmax値は7728と仮定する。
【０２４０】
前記の仮定により、前記式(４)と前記式(５)を満足する既存の全体仮伝送方式の組合せである‘伝送_方式_組合せ_ＡＬＬ’が決定される。
【０２４１】
図９は前記実施例７において、選択されることができる伝送方式の組合せの部分集合である‘伝送＿方式＿組合せ＿ＰＡＲＴ’を求めてから、前記‘伝送＿方式＿組合せ＿ＰＡＲＴ’の各伝送方式の組合せに‘伝送方式の組合せインデックス’を与える例を示している。
【実施例８】
【０２４２】
本発明の実施例８を前記式(１５)ないし(１７)、式(２９)を仮定に説明する。
【０２４３】
即ち、前記式(１５)は、
NEPI{408,792,1560,2328,3096,3864}であり、
前記式(１６)は、
【０２４４】
【数１２６】
2006509380.tif 000074
【０２４５】
であり、
前記式(１７)は、
Nslot,kI{1, 2, 4}である。
【０２４６】
前記式(２９)は下記のように示すことができる。
【０２４７】
S1,1={0.607, 1.175, 1.5, 1.8, 2.43, 2.688, 3.2}                      （２９）
前記式(１５)において、
D=6, 
【０２４８】
【数１２７】
2006509380.tif 000075
【０２４９】
と仮定する。
【０２５０】
前記式(１７)において、
G=3, 
【０２５１】
【数１２８】
2006509380.tif 000076
【０２５２】
と仮定する。
【０２５３】
また、S1,1を除外したSd,gは全て前記S1,1と等しいと仮定する。また、前記最終ウォルシュコード数N’Walsh,kを計算するために前記第１定義と前記式(１４)が使用される。この時、前記式(１４)のＬmax値は7728と仮定する。
【０２５４】
前記の仮定により、前記式（４）と前記式（５）を満足する既存の全体仮伝送方式の組合せである‘伝送＿方式＿組合せ＿ＡＬＬ’が決定される。
【０２５５】
図９は前記実施例７において、選択されることができる伝送方式の組合せの部分集合である‘伝送＿方式＿組合せ＿ＰＡＲＴ’を求めてから、前記‘伝送＿方式＿組合せ＿ＰＡＲＴ’の各伝送方式の組合せに‘伝送方式の組合せインデックス’を与える例を示している。
【実施例９】
【０２５６】
本発明の実施例９を前記式(１５)ないし(１７)、式(３０)を仮定に説明する。
【０２５７】
即ち、前記式(１５)は、
NEPI{408,792,1560,2328,3096,3864}であり、
前記式(１６)は、
【０２５８】
【数１２９】
2006509380.tif 000077
【０２５９】
であり、
前記式(１７)は、
Nslot,kI{1, 2, 4}である。
【０２６０】
前記式(３０)は下記のように示すことができる。
【０２６１】
S1,1={0.607, 1.175, 1.5, 2.0, 2.52, 2.96, 3.2}                       （３０）
前記式(１５)において、
D=6, 
【０２６２】
【数１３０】
2006509380.tif 000078
【０２６３】
と仮定する。
【０２６４】
前記式(１７)において、
G=3, 
【０２６５】
【数１３１】
2006509380.tif 000079
【０２６６】
と仮定する。
【０２６７】
また、Sd,gは全て前記S1,1と等しいと仮定する。また、前記最終ウォルシュコード数N’Walsh,kを計算するために前記第１定義と前記式(１４)が使用される。この時、前記式(１４)のＬmax値は7728と仮定する。
【０２６８】
前記の仮定により、前記式(４)と前記式(５)を満足する既存の全体仮伝送方式の組合せである‘伝送_方式_組合せ_ＡＬＬ’が決定される。
【０２６９】
図１１は前記実施例９において、選択されることができる伝送方式の組合せの部分集合である‘伝送_方式_組合せ_ＰＡＲＴ’を求めてから、前記‘伝送_方式_組合せ_ＰＡＲＴ’の各伝送方式の組合せに‘伝送方式の組合せインデックス’を与える例を示している。
【実施例１０】
【０２７０】
本発明の実施例１０を前記式(１５)ないし(１７)、式(３１)の仮定に説明する。
【０２７１】
即ち、前記式(１５)は、
NEPI{408,792,1560,2328,3096,3864}であり、
前記式(１６)は、
【０２７２】
【数１３２】
2006509380.tif 000080
【０２７３】
であり、
前記式(１７)は、
Nslot,kI{1, 2, 4}である。
【０２７４】
前記式(３１)は下記のように示すことができる。
【０２７５】
S1,1={0.607, 1.175, 1.5, 2.0, 2.684, 3.2}                     （３１）
前記式(１５)において、
D=6, 
【０２７６】
【数１３３】
2006509380.tif 000081
【０２７７】
と仮定する。
【０２７８】
前記式(１７)において、
G=3, 
【０２７９】
【数１３４】
2006509380.tif 000082
【０２８０】
と仮定する。
【０２８１】
また、前記Sd,gは全て前記S1,1と等しいと仮定する。また、前記最終ウォルシュコード数N’Walsh,kを計算するために前記第１定義と前記式(１４)が使用される。この時、前記式(１４)のＬmax値は7728と仮定する。
【０２８２】
前記の仮定により、前記式（４）と前記式（５）を満足する既存の全体仮伝送方式の組合せである‘伝送＿方式＿組合せ＿ＡＬＬ’が決定される。
【０２８３】
図１２は前記実施例１０において、選択されることができる伝送方式の組合せの部分集合である‘伝送＿方式＿組合せ＿ＰＡＲＴ’を求めてから、前記‘伝送＿方式＿組合せ＿ＰＡＲＴ’の各伝送方式の組合せに‘伝送方式の組合せインデックス’を与える例を示している。
【０２８４】
図１２に示したように、‘伝送方式の組合せインデックス’が“１１１１０”と“１１１１１”のように、その‘伝送方式の組合せインデックス’に属する三つの伝送方式の組合せが全て“reserved”と表現された‘伝送方式の組合せインデックス’が存在する。このような‘伝送方式の組合せインデックス’は特定伝送方式の組合せを意味することではなく、他の用度として使用できる。
【０２８５】
例えば、cdma2000 REVISION Cのように、基地局(ＢＳ)が端末機(ＭＳ)に“control hold state”から“active state”に遷移するという命令をする必要がある場合、前記の特定‘伝送方式の組合せインデックス’を使用できる。即ち、基地局(ＢＳ)が‘伝送方式の組合せインデックス’を“１１１１１”(または“１１１１０”)と定めた後、ＰＤＣＣＨを通して伝送すれば、該当端末機(ＭＳ)はこれを“control hold state”から“active state”に遷移するという命令として看做して既に定められた規則により行うことができる。
【実施例１１】
【０２８６】
本発明の実施例１１を前記式(１５)ないし(１７)、式(３２)を仮定に説明する。
【０２８７】
即ち、前記式(１５)は、
NEPI{408,792,1560,2328,3096,3864}であり、
前記式(１６)は、
【０２８８】
【数１３５】
2006509380.tif 000083
【０２８９】
であり、
前記式(１７)は、
Nslot,kI{1, 2, 4}である。
【０２９０】
前記式(３２)は下記のように示すことができる。
【０２９１】
S1,1={0.601, 1.175, 1.5, 2.0, 2.52, 2.96, 3.2}                       （３２）
前記式(１５)において、
D=6, 
【０２９２】
【数１３６】
2006509380.tif 000084
【０２９３】
と仮定する。
【０２９４】
前記式(１７)において、
G=3, 
【０２９５】
【数１３７】
2006509380.tif 000085
【０２９６】
と仮定する。
【０２９７】
また、S1,1を除外したSd,gは全て前記S1,1と等しいと仮定する。また、前記最終ウォルシュコード数N’Walsh,kを計算するために前記第１定義と前記式(１４)が使用される。この時、前記式(１４)のＬmax値は11592と仮定する。
【０２９８】
前記の仮定により、前記式(４)と前記式(５)を満足する既存のサブパケット用全体仮伝送方式の組合せである‘伝送_方式_組合せ_ＡＬＬ’が決定される。
【０２９９】
図１３は前記実施例１１において、選択されることができる伝送方式の組合せの部分集合である‘伝送＿方式＿組合せ＿ＰＡＲＴ’を求めてから、前記‘伝送＿方式＿組合せ＿ＰＡＲＴ’の各伝送方式の組合せに‘伝送方式の組合せインデックス’を与える例を示している。
【実施例１２】
【０３００】
本発明の実施例１２を前記式(１５)ないし(１７)、式(３３)を仮定に説明する。
【０３０１】
即ち、前記式(１５)は、
NEPI{408,792,1560,2328,3096,3864}であり、
前記式(１６)は、
【０３０２】
【数１３８】
2006509380.tif 000086
【０３０３】
であり、
前記式(１７)は、
Nslot,kI{1, 2, 4}である。
【０３０４】
前記式(３３)は下記のように示すことができる。
【０３０５】
S1,1={0.41, 0.79, 1.10, 1.32, 1.50, 1.75, 1,95, 2.30, 2.58, 2.85, 3.10}     （３３）
前記式(１５)において、
D=6, 
【０３０６】
【数１３９】
2006509380.tif 000087
【０３０７】
と仮定する。
【０３０８】
前記式(１７)において、
G=3, 
【０３０９】
【数１４０】
2006509380.tif 000088
【０３１０】
と仮定する。
【０３１１】
また、Sd,gは全て前記S1,1と等しいと仮定する。また、前記最終ウォルシュコード数N’Walsh,kを計算するために前記第１定義と前記式(１０)が使用される。
【０３１２】
前記の仮定により、前記式(４)と前記式(５)を満足する既存の伝送方式の全ての組合せである‘伝送_方式_組合せ_ＡＬＬ’が決定される。
【０３１３】
図１４Ａないし図１４Ｄは実施例１２の結果を示す表である。選択されることができる伝送方式の組合せの部分集合である伝送方式組合せである‘伝送_方式_組合せ_ＰＡＲＴ’は実施例１２から選択される。図１５に示すように、‘伝送方式組合せインデックス’は選択されることができる伝送方式集合である‘伝送＿方式＿組合せ＿ＰＡＲＴ’に与えられる。
【０３１４】
以上説明した内容を通して当業者であれば、本発明の技術思想を逸脱しない範囲で多様な変更および修正が可能であることがわかる。
【０３１５】
したがって、本発明の技術的範囲は前記実施例に記載された内容に限定することではなく、特許請求範囲により定められるべきである。
【産業上の利用可能性】
【０３１６】
本発明の通信システムにおけるサブパケット用伝送方式の組合せを決定する方法には次のような効果がある。
【０３１７】
本発明に係るエンコーダーパケットのサブパケット用伝送方式の組合せは、システムの大きい性能低下無しに少ない数の伝送方式の組合せを使用できるので、効率的な送信端および受信端を得ることができる。さらに、より減少したハードウェアの複雑度を有する送信端および受信端を得ることができる。
【図面の簡単な説明】
【０３１８】
【図１】本発明に係る通信システムにおけるサブパケット用伝送方式の組合せを決定するための方法を説明するフローチャートである。
【図２】NEP=3864, Nslot, k=4である時、伝送方式の可能な組合せを示す表である。
【図３】NEP=3864, Nslot, k=2である時、伝送方式の可能な組合せを示す表である。
【図４】NEP=3864, Nslot, k =1である時、伝送方式の可能な組合せを示す表である。
【図５】NEP=3864である時、伝送方式の可能な組合せを示す表である。
【図６】図６は、
【０３１９】
【数１４１】
2006509380.tif 000089
【０３２０】
である時、伝送方式の可能な組合せを示す表である。
【図７】実施例５から得られた‘伝送＿方式＿組合せ＿ＰＡＲＴ’と伝送方式の組合せに割当てられたインデックス（ｉｎｄｅｘ）を示す表である。
【図８】実施例６から得られた‘伝送＿方式＿組合せ＿ＰＡＲＴ’と伝送方式の組合せに割当てられたインデックスを示す表である。
【図９】実施例７から得られた‘伝送＿方式＿組合せ＿ＰＡＲＴ’と伝送方式の組合せに割当てられたインデックスを示す表である。
【図１０】実施例８から得られた‘伝送＿方式＿組合せ＿ＰＡＲＴ’と伝送方式の組合せに割当てられたインデックスを示す表である。
【図１１】実施例９から得られた‘伝送＿方式＿組合せ＿ＰＡＲＴ’と伝送方式の組合せに割当てられたインデックスを示す表である。
【図１２】実施例１０から得られた‘伝送＿方式＿組合せ＿ＰＡＲＴ’と伝送方式の組合せに割当てられたインデックスを示す表である。
【図１３】実施例１１から得られた‘伝送＿方式＿組合せ＿ＰＡＲＴ’と伝送方式の組合せに割当てられたインデックスを示す表である。
【図１４Ａ】実施例１２から得られた‘伝送＿方式＿組合せ＿ＰＡＲＴ’を示す表である。
【図１４Ｂ】実施例１２から得られた‘伝送＿方式＿組合せ＿ＰＡＲＴ’を示す表である。
【図１４Ｃ】実施例１２から得られた‘伝送＿方式＿組合せ＿ＰＡＲＴ’を示す表である。
【図１４Ｄ】実施例１２から得られた‘伝送＿方式＿組合せ＿ＰＡＲＴ’を示す表である。
【図１５】実施例１１から得られた‘伝送＿方式＿組合せ＿ＰＡＲＴ’と伝送方式の組合せに割当てられたインデックスを示す表である。
【図１】
2006509380.tif 000146
【図２】
2006509380.tif 000147
【図３】
2006509380.tif 000148
【図４】
2006509380.tif 000149
【図５】
2006509380.tif 000150
【図６】
2006509380.tif 000151
【図７】
2006509380.tif 000152
【図８】
2006509380.tif 000153
【図９】
2006509380.tif 000154
【図１０】
2006509380.tif 000155
【図１１】
2006509380.tif 000156
【図１２】
2006509380.tif 000157
【図１３】
2006509380.tif 000158
2006509380.tif 000159
2006509380.tif 000160
2006509380.tif 000161
2006509380.tif 000162
【図１５】
2006509380.tif 000163